(57)【要約】      （修正有）【課題】吸入ダクトに流過する熱風温度又は遮断具の設置部分が所定値を越えると自動的に吸入ダクトの一部を開放するストーブのファンモータの保護装置を提供する。【解決手段】吸入ダクト内に取り付けられ、所定温度で溶断する遮断具と、遮断具が溶断分離すると、自動的に開放し、吸入ダクトの一部に設置された開放扉４３を有する。遮断具は、溶断部品と、溶断部品を支持する２本の支持部品４５Ｂとでなる。溶断部品は２本の金属板４５ａ、４５ｂで構成される。【選択図】図４
0003177090.tif 000002
【実用新案登録請求の範囲】
【請求項１】
ストーブ本体部と、該ストーブ本体部を被包しかつ所定空間を有して配置すると共に裾部に熱風を吐出する熱風吐出孔を設けた外ケースと、該外ケースの上面に載置した金属製枠台と、該金属製枠台に隣接位置に配置されかつ該金属製枠台に固定した支持棒により吊下げられる吸入ダクトと、該吸入ダクトに収容されたファンモータと、前記ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなる構成に於いて、前記吸入ダクト内に取付けられかつ所定温度で溶断する遮断具と、該遮断具の動作で自動的に開放しかつ前記吸入ダクトの一部に設置した開放扉とを有したことを特徴とするストーブのファンモータ保護装置。
【請求項２】
前記開放扉の隣接部位であって、前記遮断具取付け孔を前記吸入ダクトに配設したことを特徴とする請求項１に記載のストーブのファンモータ保護装置。
【考案の詳細な説明】
【技術分野】
【０００１】
本考案は、薪ストーブ、石油ストーブ等各種ストーブに装着している吸入ダクト内のファンモータを保護する技術であって、該吸入ダクトに流過する熱風温度又は遮断具の設置部分が所定値を越えると自動的に吸入ダクトの一部を開放する技術に関する。
【背景技術】
【０００２】
この種、従来の技術に於ける第１の例としては図８に示す技術がある。これについて説明すれば、燃料としての薪を投入して燃焼させる筒状の炉体１の上部開口部に閉塞蓋体２を設け、この炉体１内にこの炉体１内空間を上下に仕切る仕切体３を設けている。炉体１は、この炉体１内の底面よりやや浮上した位置に板状の受部４を形成し、この受部４の中央にロストル５を配設している。また、このロストル５の下方の炉体１の底面に、炉体１内へ炉体１の外から空気を供給する空気供給部６としての通気穴を多数形成し、この空気供給部６から流入する空気が、ロストル５を介して燃焼空間部７に供給されるように構成している。また、このロストル５の下方の底部空間部８に、前記炉体１内で燃焼した薪の灰を受け収納する灰受部９を設けている。また、この灰受部９は、前面に付設した取手１０を操作して炉体１外へ引き出しスライド自在に設けると共に、炉体１外へ取り出し可能に構成し、この灰受部９内に収納した灰の処理を簡易に行えるようにしている。
【０００３】
また、従来の技術に於ける第２の例としては図９に示す技術がある。これについて説明すれば、図９は、排煙濾過機能付薪ストーブの例を示し、この排煙濾過機能付薪ストーブ１１は、屋内ＥＲ１に設置された密閉式の薪ストーブ１２と、この薪ストーブ１２で燃料としての薪を燃焼させた際に発生する排煙を屋外ＥＲ２まで導く煙道１３と、この煙道１３に装着されるチャンバ式の暖房器用排煙濾過装置１４とから構成されている。屋内設置型暖房器としての薪ストーブ１２は、筒状の炉体１５内に薪を投入して燃焼させ、これにより屋内ＥＲ１を暖房し得るようになされている。因みに、この炉体１５内には、炉体１５の外から空気を供給する空気供給部や炉体１５内を仕切る仕切部等（図示せず）を有し、当該仕切部で形成された上側空間の二次燃焼室（図示せず）において下側空間の一次燃焼室で発生する未燃焼ガスを燃焼させ、底部空間に配置した灰受部（図示せず）により当該炉体１５内で燃焼した薪の灰を受けて収納し得るようになされている。なお、この二次燃焼室には、触媒を設け、この触媒を用いて未燃焼ガスを燃焼させるようにする。かかる構成に加えて、炉体上部１５Ａには煙道１３の根元部１６が接続されており、この煙道１３へ炉体１５内で発生した排煙が導かれるようになされている。煙道１３は、炉体１５から所定の高さまで上方にほぼ垂直に延びた後、家屋Ｈの壁部Ｈ１側に折れ曲がり当該壁部Ｈ１を貫通して先端部１７が屋外ＥＲ２に位置するように形成されており、ほぼ水平に延在した箇所に暖房器用排煙濾過装置１４が装着されている。暖房器用排煙濾過装置１４は、屋内ＥＲ１に設けられた排煙濾過部１８と、屋外ＥＲ２で支柱１９に支持され煙道１３の先端部１７に装着された排煙ファン部２０とで構成されおり、商用交流電源に接続されているコンセントからプラグ（図示せず）を介して排煙ファン部１２に電力の供給を受けている。これにより暖房器用排煙濾過装置１４は、排煙ファン部２０内の排出用ファン２１を回転駆動させ、これにより炉体１５内の排煙を煙道１３を介して排煙濾過部１８内を通過させて当該排煙ファン部２０から屋外ＥＲ２へ放出させ得るようになされている。
【先行技術文献】
【特許文献】
【０００４】
【特許文献１】特開２０００−０４６３３４号公開特許公報
【特許文献２】特開２００６−２８１０７７号公開特許公報
【考案の開示】
【考案が解決しようとする課題】
【０００５】
従来の技術は叙上の構成であるので次の課題が存在した。
すなわち、従来の技術に於ける第１の例によれば、ファン装置が存在せず、これを保護する技術も開示されていない。また、従来の技術に於ける第２の例によれば、停電時等異常時に於いては暖房器用排煙濾過装置１４に備えている排煙ファン部２０の排出用ファン２１の回転動作が停止し、排煙を屋外ＥＲ２導出することができず暖房器用排煙濾過装置１４が異常高温の惧れがあり、該暖房器用排煙濾過装置１４の損傷や火災等の原因となるという問題点があった。
本考案はかかる問題点を解決すべく考案したものである。
【課題を解決するための手段】
【０００６】
本考案はかかる問題点を解決するためになされたものであって、次の構成から成立する。
すなわち請求項１記載の考案によれば、ストーブ本体部と、該ストーブ本体部を被包しかつ所定空間を有して配置すると共に裾部に熱風を吐出する熱風吐出孔を設けた外ケースと、該外ケースの上面に載置した金属製枠台と、該金属製枠台に隣接位置に配置されかつ該金属製枠台に固定した支持棒により吊下げられる吸入ダクトと、該吸入ダクトに収容されたファンモータと、前記ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなる構成に於いて、前記吸入ダクト内に取付けられかつ所定温度で溶断する遮断具と、該遮断具の動作で自動的に開放しかつ前記吸入ダクトの一部に設置した開放扉とを有したことを特徴とする。
【０００７】
請求項２記載の考案によれば、請求項１に記載のストーブのファンモータ保護装置に於いて、前記開放扉の隣接部位であって、前記遮断具取付け孔を前記吸入ダクトに配設したことを特徴とする。
【考案の効果】
【０００８】
本考案に係るストーブのファンモータ保護装置は叙上の構成を有するので、次の効果がある。
すなわち、請求項１に記載の考案によれば、ストーブ本体部と、該ストーブ本体部を被包しかつ所定空間を有して配置すると共に裾部に熱風を吐出する熱風吐出孔を設けた外ケースと、該外ケースの上面に載置した金属製枠台と、該金属製枠台に隣接位置に配置されかつ該金属製枠台に固定した支持棒により吊下げられる吸入ダクトと、該吸入ダクトに収容されたファンモータと、前記ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなる構成に於いて、前記吸入ダクト内に取付けられかつ所定温度で溶断する遮断具と、該遮断具の動作で自動的に開放しかつ前記吸入ダクトの一部に設置した開放扉とを有したことを特徴とするストーブのファンモータ保護装置を提供する。
このような構成としたので、停電や地震等の原因で前記ファンモータが停止した際に流過する熱風又は吸入ダクトが所定値例えば７２℃以上に高温になれば遮断具の接続部分を溶断し、自動的に開放扉を開放するので吸入ダクト内のファンモータ等装置を保護し焼損又は故障させることがないという効果がある。
【０００９】
請求項２に記載の考案によれば、前記開放扉の隣接部位であって、前記遮断具取付け孔を前記吸入ダクトに配設したことを特徴とする請求項１に記載のストーブのファンモータ保護装置を提供する。
このような構成としたので、請求項１に記載の考案の効果に加えて、遮断具の取付けを人の手により容易にし新規又は取替えを自在にできるという効果がある。
【図面の簡単な説明】
【００１０】
【図１】本考案に係るストーブを示すものであって実施の形態を示す正面図である。
【図２】本考案に係るストーブを示すものであって実施の形態を示す側面図である。
【図３】本考案に係るストーブのファンモータ保護装置の実施の形態を示すものであって、図２の矢印Ｅ−Ｅ線方向を断面した拡大斜視図である。
【図４】前記図３に於いて、遮断具の接続部分が溶断し自動開放扉が開放した状態を示す拡大斜視図である。
【図５】本考案に係るストーブのファンモータ保護装置に備えた反転駆動部材の構成を示す図である。
【図６】本考案に係るストーブのファンモータ保護装置に備えた遮断具の構成・動作を示す図であって、（ａ）は正面図、（ｂ）は右側面図、（ｃ）は（ｂ）に於けるＰ部の拡大断面図及び遮断具の接続部分の溶断の状態を示す図である。
【図７】本考案に係るストーブのファンモータ保護装置に備えた遮断具取付孔の構成を示す図であって、（ａ）は正面図、（ｂ）吸入ダクトに設置した状態を示す右側断面図である。
【図８】従来の技術に於ける第１の例を示す斜視図である。
【図９】従来の技術に於ける第２の例を示す斜視図である。
【考案を実施するための形態】
【００１１】
以下、本考案に係るストーブのファンモータ保護装置の実施の形態について図１ないし図  ７に基づき詳細に説明する。
本考案に係るストーブのファンモータ保護装置を説明するに先立ち図１、図２に基づいてストーブＡを説明する。
ストーブＡは大概してストーブ本体部２２と、該ストーブ本体部２２を収容する外枠ケース２３と、該外枠ケース２３の上方に設置する吸入ダクト２４と、前記ストーブ本体部２２で例えば燃料としての薪を燃焼して発生する燃焼ガス、排気ガス又は煙をハウス外部に排出する排気管２８とを有する。
【００１２】
ここで、前記ストーブ本体部２２は例えば板厚５ｍｍ程度の熱間圧延鋼板や熱間圧延縞鋼板を隅肉溶接して略矩形体でなる箱状を形成している。ストーブ本体部２２の一面は傾斜した前面２２ａを形成し、これに後述する左扉２２ｂ及び右扉２２ｃを配置する。そしてこの前面２２ａに燃焼室（図示せず）に燃料としての杉や松等の針葉樹の間伐材やその他の薪の生木を左・右扉２２ｂ、２２ｃを開放して供給するための矩形状の開口部２２ｄを有している。該開口部２２ｄは所定の大きさの熱間圧延鋼板や熱間圧延縞鋼板を額縁形状に内側を切断除去してストーブ本体部２２の前面２２aに隅肉溶接している。
【００１３】
前記開口部２２ｄの外側には左・右縦端をそれぞれ２個のヒンジ２２ｅ、２２ｅで前記開
口部２２ｄに対して開放・閉止自在に支持された左扉２２ｂ及び右扉２２ｃを配設してい
る。該左扉２２ｂ及び右扉２２ｃを閉止したとき該左扉２２ｂと右扉２２ｃの突合せ部及
び該左扉２２ｂと右扉２２ｃと前記開口部２２ｄの重なる部分はほぼ隙間なく閉止される
。また、鋼棒を略Ｌ型に熱間又は冷間曲げ加工したハンドル２２ｆ、２２ｆを前記左扉２
２ｂ、前記右扉２２ｃに有しそのハンドル２２ｆ、２２ｆの基端をそれぞれ左扉２２ｂ及
び右扉２２ｃの下方の表面に溶接している。
【００１４】
前記左扉２２ｂ及び右扉２２ｃの略中央部には燃焼室に空気を導入する多数の円孔を輪設してなる空気導入口２５ａを有した回転可能な円盤２５と、そしてこの回転可能な円盤２５の裏面に配設しかつ空気導入口２５ａを覆うに十分な円孔を輪設した円盤状固定空気調節板（図示せず）を備えている。該円盤状固定空気調節板は前記左扉２２ｂ及び右扉２２ｃに円孔を輪設することで代替することができる。回転可能な円盤２５は中心軸部材２５ｂ、２５ｂにより回転自在に装着されている。
【００１５】
また、該円盤状固定空気調節板は前記回転可能な円盤２５に穿孔された複数の空気導入口２５ａと同一形状で同一配列の円孔でなる複数の空気導入口（図示せず）を配置している。また、ハンドル２５ｃ、２５ｃの基端を前記回転可能な円盤２５、２５の外縁部に溶接している。該ハンドル２５ｃ、２５ｃ及び前記ハンドル２２ｆ、２２ｆはその外周面を凹凸に形成した鉄筋コンクリート用鋼棒又は鉄筋コンクリート用再生鋼棒で構成すると表面が滑らないためハンドルとして好適である。
【００１６】
ストーブ本体部２２の上面２２ｋは鋼板で構成し上面２２ｋの左端から右端に向かってその中央部に略山形状又は三角状の屋根板２７を載置・固定する。この屋根板２７は上面２２ｋと一体に成形してもよい。屋根板２７は後述するように吸入ダクト２４から流送された吸入空気を直接にストーブ本体部２２の上面２２ｋの接触させることなく、該ストーブ本体部２２の左・右側面２２ｇ、２２ｈと外枠ケース２３との間に円滑に流送させる。従って外部からの冷気を該ストーブ本体部２２に接触させることなく該ストーブ本体部２２の熱伝達効率を高める。
【００１７】
上述した排気管２８は図２に示すようにその下端がストーブ本体部２２の後面２２ｊに固定配置されている排気管箱２８ａに接続され、ストーブ本体部２２と排気管２８を連通している。また、２９はストーブ本体部２２を支持する脚であり例えば４本配置する。
【００１８】
前記排気管２８の中間位置には排気ガスや燃焼した煙の排出量を制御するダンパー２８ｂを介在させている。該ダンパー２８ｂは例えば黒耐熱スチールで作製し排気管２８と同一寸法を有する円筒体で形成し、その内部に調整板２８ｃを備え、排気管２８の表面に配置したレバーを作業者が操作することのより該調整板２８ｃの開度を制御する。
【００１９】
前記外枠ケース２３は例えば前記ストーブ本体部２２の外部であって、該ストーブ本体部２２の左側面２２ｇ及び右側面２２ｈから所定間隔を有して枠組・構築した鋼製の角材または棒材でなる枠体にビス等の緊締部品により固定・張合わせを行い該ストーブ本体部２２を被包する。該外枠ケース２３はストーブ本体部２２と同材質で構成し、図１に示す前面に於いては例えば上方部を幅広長Ｌ１に下方部を幅狭長Ｌ２に設定する。該外枠ケース２３の左側面及び右側面に於いては例えば図２に示すように上方部及び下方部が同一寸法に設定する。前記外枠ケース２３の下方部はいわゆる外枠ケース２３の左・右裾部２２ｉ、２２ｉであって、この部分に熱風吐出孔２２ｍ、２２ｍをそれぞれ形成する。
【００２０】
該熱風吐出孔２２ｍ、２２ｍの外側周囲は筒体２２ｎ、２２ｎを固定しこの筒体２２ｎ、２２ｎに例えば圃場に敷設される熱風ダクト３０、３０の基端部を固定する。この熱風ダクト３０、３０は必ずしも２個に限定するものではなく多数個又は単一で構成してもよい。熱風ダクト３０、３０は外枠ケース２３内から流下されかつ圃場に流送する部材であればよく、例えば所定の径長を有する保温フレキシブルダクト、ビニール製フレキシブルダクト、伸縮可能なアルミフレキシブルダクト、クールワイヤーフレキシブルダクト、亜鉛メッキ鋼板製フレキシブルダクト等汎用のものを採用する。
【００２１】
３１は熱風導入バルブであり、例えば図１に示すように外枠ケース２３の前面に配置・固定され外枠ケース２３内と燃焼室間を連通し外枠ケース２３内の熱風を必要に応じて燃焼室へ流送する。熱風導入バルブ３１は外枠ケース２３内に挿入された第１管３１ａと、ストーブ本体部２２の燃焼室内に挿入された第２管３１ｂと、熱風量を制御するためのバルブを開閉するレバー３１ｃとで構成される。熱風導入バルブ３１は燃料としての薪を点火するとき及び薪の燃焼効率が悪いとき後述する送風ファンスイッチをＯＮして吸入ダクト２４を駆動すると共にレバー３１ｃを操作しバルブを開放し外枠ケース２３内の空気を燃焼室に導入する。３２は燃料が燃焼した後に発生する黒炭や焼却残留物を取出すための取出口である。
【００２２】
前記吸入ダクト２４はストーブ本体部２２により加熱された空気を熱風として熱風ダクト３０、３０に流送する。ここで該吸入ダクト２４は例えば図２に示すように斜流ダクト２４Ａと、該斜流ダクト２４Ａに連結する開放扉設置用ダクト２４Ｂとでなる。該斜流ダクト２４Ａは鉄製であって円筒状を形成した前方ケーシングと同形状の後方ケーシングを連結してファンモータ３３を収容している。
【００２３】
該吸入ダクト２４は可撓性の金属円筒体で構成されており、耐熱性、耐温性の機能を有する。従ってアルミ製又は鉄製で構成できる。図２に示すように側面から見ると略Ｕ字状に湾曲している。そして、斜流ダクト２４Ａの前方ケーシング及び後方ケーシングの両側面には吊下げ金具３４、３４を固定し、この吊下げ金具３４、３４に支持棒３４ａ、３４ａをそれぞれ係止する。該支持棒３４ａ、３４ａの基端はそれぞれ金属製枠台３５に固定している。
【００２４】
金属製枠台３５は図１から分かるようにストーブＡの正面方向の外枠ケース２３の上面２２ｅに固定しているがこれに限定されず、ストーブＡの左側面方向又は右側面方向若しくは背面方向の外枠ケース２３の上面２２ｌに設置してもよい。そして例えば金属性枠台３５の上部が略矩形状の中空枠体３５ａと側面形状が略Ｌ字状の脚部３５ｂとで構成され、図２に示す３６は端子カバーであり、ファンモータ３３の端子を収容し、外部、つまり外枠ケース２３の側面部に設置したモータ駆動用スイッチ３７に電力線３８により接続されている。該モータ駆動用スイッチ３７はＡＣ電源に接続している。
【００２５】
前記金属製枠台３５の脚部３５ｂは例えば略縦溝状又は長楕円状の調整用孔を穿孔すると共にこれに係止・固定する高さ調整用緊締部品、すなわちボルト及びナットを前記外枠ケース２３の前面又は左・右側面に固定している。そして前記斜流ダクト２４Ａの高さを調整し吸入空気の取入れ方向を制御する。３９は外枠ケース２３の左又は右側面のいずれか一方に固定した傾倒防止材である。
【００２６】
また、モータ駆動用スイッチ３７の隣接位置には図２に示すように温度調節器４０を設置しファンモータ３３の始動・停止を司っている。該温度調節器４０はケース４０ａと、ケース４０ａの表面に付設したダイヤル式温度設定部４０ｂと、該ケース４０ａに内蔵したサーモスイッチ（図示せず）と、該サーモスイッチに接続され前記屋根板２７の表面に固設したサーモセンサ４１とでなる。サーモセンサ４１は図１に示すように前記屋根板２７と同材質で形成されその表面に固着した小円筒体に挿置されている。そして、前記屋根板２７の温度が設定温度例えば１５℃ないし１２６℃の範囲内で該サーモセンサ４１が作動し、サーモスイッチをＯＮ動作し、ファンモータ３３を回転駆動する。而して吸入ダクト２４を動作させハウス２６内の空気を斜流ダクト２４Ａ、開放扉設置用ダクト２４Ｂを経由して熱風がストーブ本体部２２と外枠ケース２３とのスペースＳ内に一方から矢印Ｂ方向に、他方から矢印Ｃ方向のそれぞれ流過し、それぞれ矢印Ｄ方向、Ｆ方向からストーブＡの外部に排出される。
【００２７】
次に本考案に係るストーブのファンモータ保護装置について説明する。
４３は吸入ダクト２４の開放扉設置用ダクト２４Ｂの一部に設置した開放扉すなわち自動開放扉である。該自動開放扉４３は該開放扉設置用ダクト２４Ｂの一部を切欠して、その切欠部分を閉止・開放すべくした扉であって、吸入ダクト２４と同材質の略円弧状板で構成され、これを閉止したとき開口部２４ａを完全に閉止し開放扉設置用ダクト２４Ｂと面一に設定される。該開口部２４ａは自動開放扉４３の上面形状と略同一であって、図示するものは矩形状であるが、半円形状その他の形状も適用できる。該自動開放扉４３は反転駆動部材４４を備えている。該反転駆動部材４４は図５に示す２枚の板材４４ｉを介して軸４４ａを中心に前後に回動する二枚板の組合せでなる蝶番４４ｂと、該蝶番４４ｂ内に反転動作をするスプリングバネ４４ｃとを備えている。該スプリングバネ４４ｃは前記軸４４ａに巻装されている。
【００２８】
該蝶番４４ｂの一方板４４ｄは例えば図４に示すように前記開放扉設置用ダクト２４Ｂに穿孔した開口部２４ａの外表面縁部２４ｂに及びその他方板４４ｅは自動開放扉４３の基端部４３ａの外表面に複数個の緊締部品４４ｆ・・・・で固定されかつ該緊締部品４４ｆ・・・・は開放扉設置用ダクト２４Ｂの内壁面及び自動開放扉４３の基端部４３ａの内壁面に２枚の板材４４ｉを介して固定されている。そして、一方板４４ｄは前記スプリングバネ４４ｃの一端４４ｇを及び他方板４４ｅは前記スプリングバネ４４ｃの他端４４ｈにそれぞれ係止・固定され、軸４４ａに介装したスプリングバネ４４ｃの反転力により図４に示すように常に開口部２４ａを開放するように作用する。
【００２９】
自動開放扉４３の円弧を形成する２ヵ所の端面部つまり図２で示す左・右端部に、幅狭な帯板４２、４２をリベット等の緊締部品（図示せず）で締結する。また、該帯板４２、４２は自動開放扉４３の左・右端部を開口部２４ａより幅広に形成しかつその内面を段差状に構成してもよい。そして自動開放扉４３と同材質か別異の金属材料で製作し、自動開放扉４３を開放扉設置用ダクト２４Ｂに閉止したとき、開放扉設置用ダクト２４Ｂの外表面側に重畳・密着して開放扉設置用ダクト２４Ｂ内を流過する吸入空気が開口部２４ａの周縁から漏出することがない。
【００３０】
４５は遮断具であって、吸入ダクト２４内に取付けられ図６に示すように溶断部品４５Ａと、溶断部品４５Ａを支持する２本の支持部品４５Ｂとでなる。溶断部品４５Ａは、例えば図６（ｂ）に示すように２本の金属板４５ａ、４５ｂで構成されこの両者を図６（ｃ）に示すように半田溶液４５ｃで固定・接続する。この部分は遮断具４５の接続部分である。前記金属板４５ａ、４５ｂのいずれか一方又は双方に例えば擂鉢状の半田溶液４５ｃの注入孔４５ｄを形成し、金属板４５ａ、４５ｂの双方を接続・固定するときは注入孔４５ｄから半田溶液４５ｃを流し込み固化させる。この際、半田溶液４５ｃは注入孔４５ｄから金属板４５ａ、４５ｂの接触部分に浸透する。そして、かかる遮断具４５の挿装部分に例えば７２℃以上の温度になれば該遮断具４５の金属板４５ａ、４５ｂが図６（ｃ）の右方図のように溶断分離する。
【００３１】
一方、他方の支持部品４５Ｂ、４５Ｂは例えば例えばボルト４５ｅ、４５ｅでそれぞれ構成され、その一端は一方、他方の金属板４５ａ、４５ｂにそれぞれナット４５ｆ、４５ｆ等によりそれぞれ接続固定されている。また、ボルト４５ｅ、４５ｅの他端は固定部品としての蝶ねじ４５ｇ、４５ｇをそれぞれ付設し、一方の支持部品４５Ｂつまりボルト４５ｅの他方端は図４に示すように例えば該蝶ねじ４５ｇで自動開放扉４３の先端部４３ｂの内壁面に固定しかつ他方の支持部品４５Ｂつまりボルト４５ｅの他端も例えば蝶ねじ４５ｇで開放扉設置用ダクト２４Ｂであって開口部２４ａの隣接部位に固定される。    
【００３２】
次に、前記遮断具４５の取付手順等を説明する。
遮断具４５の一方、他方の金属板４５ａ、４５ｂは予め接合作業により接続・固定されており、かつ他方の金属板４５ｂの支持部品４５Ｂは自動開閉扉４３の固定されている。
図７（ａ）、（ｂ）に示すように吸入ダクト２４、具体的には開放扉設置用ダクト２４Ｂであって開口部２４ａの隣接部位に例えば円形状の遮断具取付け孔２４ｃを穿孔する。そして、作業者は指Ｍ等で図３に示すように前記遮断具４５を把持し、遮断具取付け孔２４ｃから開放扉設置用ダクト２４Ｂ内に挿置する。これと同時に作業者は自動開閉扉４３をスプリングバネ４４ｃの反転力に抗して強制的に回動する。そして開口部２４ａを閉止する。ここで、作業者は指Ｍ等で一方の金属板４５ａの支持部品４５Ｂのボルト４５ｅを開放扉設置用ダクト２４Ｂに設けた小孔に差込み開放扉設置用ダクト２４Ｂと共に外方から蝶ねじ４５ｇでねじ締め固定する。
【００３３】
前記遮断具４５が開放扉設置用ダクト２４Ｂ内に取付けられた後に閉止部材４６により
遮断具取付け孔２４ｃを閉止する。該閉止部材４６は図７に示すようにゴム材料等でなる
柔軟性を有する閉止部品４６ａと着脱枠４６ｂとでなる。該閉止部品４６ａと着脱枠４６ｂは一体的に製造時に取付けられる。該着脱枠４６ｂは把持部４６ｃと例えば上下が略円盤状板で形成した保持部４６ｄとを設けている。そして、閉止部品４６ａは幅方向中心位置に周溝４６ｄを形成している。遮断具取付け孔２４ｃを閉止する際、作業者は該閉止部品４６ａを変形させながら遮断具取付け孔２４ｃを差込み開放扉設置用ダクト２４Ｂ内に圧着・固定させる。遮断具取付け孔２４ｃの部位に於けるシール性が高くなる。  
【００３４】
而して、停電等の原因が発生すればファンモータ３３が停止し、吸入ダクト２４、開放扉設置用ダクト２４Ｂ内が温度上昇し、所定温度例えば７２℃以上になれば遮断具４５の半田溶液４５ｃが溶解し一方、他方の金属板４５ａ、４５ｂが図６（ｃ）に示すようになり分離・切断される。そこで自動開放扉４３がスプリングバネ４４ｃの反動力により図４に示す位置に変形する。ストーブＡが発生する熱流はファンモータ３３のへ流入することなく、ストーブＡの外部に放出されファンモータ３３は加熱されることなく保護される。而して、停電時の原因が解消すれば再び上述した組立手順等によって作業者は遮断具４５を吸入ダクト２４つまり開放扉設置用ダクト２４Ｂ内に設置する。
【産業上の利用可能性】
【００３５】
薪ストーブ、石油ストーブ等の各種ストーブに於いて、暖房用の空気を取り入れる吸入ダクト内のファンモータを保護するのみならず、燃焼用空気を取れる吸入ダクト内のファンモータを保護することができ、汎用性に富んだ技術である。
【符号の説明】
【００３６】
Ａ        ストーブ
２２      ストーブ本体部
２２ａ    前面
２２ｂ    左扉
２２ｃ    右扉
２２ｄ    開口部
２２ｅ    ヒンジ
２２ｆ    ハンドル
２２ｇ    左側面
２２ｈ    右側面
２２ｉ    左・右裾部
２２ｊ    後面
２２ｋ    上面
２２ｌ    外枠ケースの上面
２２ｍ    熱風吐出孔
２２ｎ    筒体
２３      外枠ケース  
２４      吸入ダクト
２４Ａ    斜流ダクト
２４Ｂ    開放扉設置用ダクト
２４ａ    開口部
２４ｂ    縁部
２４ｃ    遮断具取付け孔
２５      円盤
２５ａ    空気導入口
２５ｂ    中心軸部材
２５ｃ    ハンドル
２６      ハウス
２７      屋根板
２８      排気管
２８ａ    排気管箱
２８ｂ    ダンパー
２８ｃ    調整板
２９      脚
３０      熱風ダクト
３１      熱風導入バルブ
３１ａ    第１管
３１ｂ    第２管
３１ｃ    レバー
３２      取出口
３３      ファンモータ
３４      吊下げ金具
３４ａ    支持棒
３５      金属製枠台
３５ａ    金属製枠台の中空枠体
３５ｂ    金属製枠台の脚部
３６      端子カバー
３７      モータ駆動用スイッチ
３８      電力線
３９      傾倒防止材
４０      温度調節器
４０ａ    ケース
４０ｂ    ダイヤル式温度設定部
４１      サーモセンサ
４２      帯板
４３      自動開放扉
４３ａ    基端部
４３ｂ    先端部  
４４      反転駆動部材
４４ａ    軸
４４ｂ    蝶番
４４ｃ    スプリングバネ
４４ｄ    一方板
４４ｅ    他方板
４４ｆ    緊締部品
４４ｇ    スプリングバネの一端
４４ｈ    スプリングバネの他端
４４ｉ    板材
４５      遮断具
４５Ａ    遮断具の溶断部品
４５Ｂ    遮断具の支持部品
４５ａ    遮断具の金属板
４５ｂ    遮断具の金属板
４５ｃ    遮断具の半田溶液
４５ｄ    遮断具の注入孔
４５ｅ    ボルト
４５ｆ    ナット
４５ｇ    蝶ねじ
４６      閉止部材
４６ａ    閉止部材の閉止部品
４６ｂ    閉止部材の着脱枠
４６ｃ    把持部
４６ｄ    保持部
４６ｅ    周溝
Ｍ        作業者の指
【図１】
0003177090.tif 000003
【図２】
0003177090.tif 000004
【図３】
0003177090.tif 000005
【図４】
0003177090.tif 000006
【図５】
0003177090.tif 000007
【図６】
0003177090.tif 000008
【図７】
0003177090.tif 000009
【図８】
0003177090.tif 000010
【図９】
0003177090.tif 000011